(57)【要約】【課題】効率的な洗浄の実現を図る。【解決手段】スチームを発生するスチーム発生源１３０に接続される管状のスチームノズル２０と、吸引力を発生させる吸引力発生源１５０に接続される管状の吸引ノズル３０とを備え、スチームノズル２０の吐出開口部２２１が吸引ノズル３０の吸引開口部３２１の内側に配置されている二重管構造を備えている。  これにより、吹き付けにより拡散するスチームを効果的に吸引し、視界を遮ることを防止できるので、スチームが収まるまで作業が中断されることを回避することができ、洗浄作業を迅速且つ効率的に行うことが可能となる。【選択図】図４
2017012961.tif 000002
【特許請求の範囲】
【請求項１】
スチームを発生するスチーム発生源に接続される管状のスチームノズルと、
吸引力を発生させる吸引力発生源に接続される管状の吸引ノズルとを備え、
前記スチームノズルの吐出開口部が前記吸引ノズルの吸引開口部の内側に配置されている二重管構造を備えることを特徴とする洗浄ノズル。
【請求項２】
前記スチームノズルの吐出開口部が前記吸引ノズルの吸引開口部の中央に配置されていることを特徴とする請求項１記載の洗浄ノズル。
【請求項３】
前記スチームノズルの吐出開口部が、スチームの吐出方向について、前記吸引ノズルの吸引開口部と同位置又は前記吸引ノズルの吸引開口部より後方に配置されていることを特徴とする請求項１又は２記載の洗浄ノズル。
【請求項４】
前記吸引ノズルの先端部又は前記スチームノズルの先端部に前方に延出されたブラシが設けられていることを特徴とする請求項１から３のいずれか一項に記載の洗浄ノズル。
【請求項５】
前記ブラシの先端部が前記スチームノズルの吐出開口部よりも前方に延出されていることを特徴とする請求項４記載の洗浄ノズル。
【請求項６】
前記スチーム発生源の作動指令と前記吸引力発生源の作動指令とを入力可能な操作部を備えることを特徴とする請求項１から５のいずれか一項に記載の洗浄ノズル。
【請求項７】
前記操作部には、前記スチーム発生源を作動させるための入力部と前記吸引力発生源を作動させるための入力部とが個別に設けられていることを特徴とする請求項６記載の洗浄ノズル。
【請求項８】
前記スチーム発生源を作動させるための入力部は操作中にのみオンとなり、非操作中はオフとなる常開形のスイッチであり、前記吸引力発生源を作動させるための入力部はオンオフ切り替え式のスイッチであることを特徴とする請求項７記載の洗浄ノズル。
【発明の詳細な説明】
【技術分野】
【０００１】
本発明はスチーム洗浄を行う洗浄ノズルに関するものである。
【背景技術】
【０００２】
空調室内機は周囲の空気を内部で循環させる構造のため、内部に塵芥や汚れがたまりやすいことから定期的な洗浄を行う必要がある。
従来は、このような空調室内機の洗浄を洗浄液の高圧吹き付けにより行っていた。しかしながら、この方法では、空調の室内機に洗浄液の周囲への飛散を防止するための養生、廃液の回収及び処理が必須であり、作業時間が長く、作業負担が大きく、処理費用が高い等の問題があった。
このため、近年は、スチーム洗浄が増えてきている。スチーム洗浄は、高温のスチームをノズルにより洗浄箇所に吹き付けて、スチームの熱と水分により吹き付け箇所の汚れを除去する方法であり、水分の使用量が従来よりも圧倒的に少ないことから養生を不要とし、作業時間及び作業負担の大幅な低減を図ることが可能である。また、洗浄液を使用しないので、廃液の作業廃棄物としての処理も不要となり、処理費用の低減も図ることができる洗浄方法である。
但し、スチーム洗浄ノズルはスチームの吹き付けにより付着汚れを洗浄箇所から剥離又は分離させることはできるが、分離した汚れを回収することはできないので、スチームの吹き付け作業とは別に付着汚れを回収する作業を行わねばならなかった。
【０００３】
そこで、従来の洗浄方法として、スチーム洗浄ノズルとバキュームノズルとを個別に用意し、スチーム洗浄ノズルによってスチーム洗浄を行いつつ、バキュームノズルで汚れや塵芥の吸引を行うことが提案されている（例えば、特許文献１参照）。
【先行技術文献】
【特許文献】
【０００４】
【特許文献１】特開２００２−２２３９０号公報
【発明の概要】
【発明が解決しようとする課題】
【０００５】
しかしながら、上記従来の洗浄方法では、スチーム洗浄ノズルから発生するスチームが冷却されて湯気となって視界を遮り、洗浄作業や吸引作業の妨げとなることから、時折、湯気の沈静化を待たねばならず、これが作業効率の低下を招いていた。
【０００６】
本発明は、効率的な洗浄の実現をその目的とする。
【課題を解決するための手段】
【０００７】
本発明は、上記目的を達成するために、スチームを発生するスチーム発生源に接続される管状のスチームノズルと、吸引力を発生させる吸引力発生源に接続される管状の吸引ノズルとを備え、前記スチームノズルの吐出開口部が前記吸引ノズルの吸引開口部の内側に配置されている二重管構造を備えることを特徴とする。
【０００８】
上記構成によれば、スチームノズルの吐出開口部が吸引ノズルの吸引開口部の内側に配置されている二重管構造なので、スチームノズルから吹き出すスチームを洗浄箇所に吹き付けたときにその周囲に拡散したスチームを速やかに吸引することができ、湯気の発生を効果的に低減することが可能となる。
また、スチームノズルの吐出開口部の周囲から吸引ノズルが吸引を行うので、スチームにより洗浄箇所から分離された汚れや塵芥の吸引漏れを低減し、良好な吸引を行うことが可能となる。
【０００９】
ここで、前記スチームノズルの吐出開口部が前記吸引ノズルの吸引開口部の中央に配置されるようにする。
上記構成によれば、スチームノズルの吐出開口部が吸引ノズルの吸引開口部の中央に位置しているので、スチームノズルの吐出開口部を中心とする全方向から吸引を行うことができ、スチームや汚れや塵芥をより効果的に吸引することが可能となる。
【００１０】
また、前記スチームノズルの吐出開口部が、スチームの吐出方向について、前記吸引ノズルの吸引開口部と同位置又は前記吸引ノズルの吸引開口部より後方に配置されるようにする。
上記構成によれば、スチームノズルの吐出開口部が吸引ノズルの吸引開口部と同位置又はより後方に配置されているので、スチームノズルが突出せず、当該スチームノズルの先端部を外部との接触等による破損から保護することが可能となる。
【００１１】
また、前記吸引ノズルの先端部又は前記スチームノズルの先端部に前方に延出されたブラシが設けられるようにする。
上記構成によれば、スチームの吹き付けとブラシの掻き落としとにより汚れを落とすことができるので、さらに高い洗浄力を得ることが可能となる。
【００１２】
また、前記ブラシの先端部が前記スチームノズルの吐出開口部よりも前方に延出されるようにする。
上記構成によれば、スチームノズルの吐出開口部よりもブラシが前方に延出されているので、ブラシの存在により、スチームノズルの吐出開口部と外部との接触による破損の発生を低減し、保護することが可能となる。
【００１３】
また、前記スチーム発生源の作動指令と前記吸引力発生源の作動指令とを入力可能な操作部を備えるようにする。
上記構成によれば、洗浄ノズルを持ったまま、スチーム発生と吸引の開始、停止の操作を行うことができ、操作性の改善による作業効率の向上を図ることが可能となる。
【００１４】
また、前記操作部には、前記スチーム発生源を作動させるための入力部と前記吸引力発生源を作動させるための入力部とが個別に設けられるようにする。
上記構成によれば、操作部にスチーム発生源の入力部と吸引力発生源の入力部とが個別に設けられているので、スチームの吹き付けのみ或いは吸引のみといった操作ができ、その都度、必要な作業を行うことができ、作業性を向上させることが可能となる。
【００１５】
また、前記スチーム発生源を作動させるための入力部は操作中にのみオンとなり、非操作中はオフとなる常開形のスイッチであり、前記吸引力発生源を作動させるための入力部はオンオフ切り替え式のスイッチであるようにする。
上記構成によれば、吸引状態を維持したままスチームの吹き付けについてのみオンオフを容易に切り替えることができるので、さらに作業性を向上させることが可能となる。
【発明の効果】
【００１６】
本発明によれば、スチームノズルの吐出開口部が吸引ノズルの吸引開口部の内側に配置されている二重管構造により、スチームの吹き付けの際に周囲に拡散したスチームを速やかに吸引することができ、湯気の発生よる視界の悪化を防ぎ、湯気の沈静化を待つ必要がなくなるので、洗浄作業を迅速且つ効率的に行うことが可能となる。
また、スチームノズルの吐出開口部の周囲から吸引ノズルが吸引を行うので、洗浄後の汚れ残りの発生を低減し、より高い洗浄力による洗浄を行うことが可能となる。
【図面の簡単な説明】
【００１７】
【図１】本発明の実施形態である洗浄装置の概略構成図である。
【図２】洗浄ノズルの側面図である。
【図３】図３（Ａ）は洗浄ノズルの先端部の側面図、図３（Ｂ）は底面図、図３（Ｃ）は背面図である。
【図４】洗浄ノズルの先端部の斜視図である。
【図５】洗浄ノズルのスチームノズルの先端部の斜視図である。
【発明を実施するための形態】
【００１８】
［発明の実施形態概要］
本発明の実施形態を図面に基づいて説明する。本実施形態では、特徴的な洗浄ノズル１０を備える洗浄装置１００を例示する。
図１は洗浄装置１００の概略構成図、図２は洗浄ノズルの側面図、図３は洗浄ノズル１０の先端部の三面図、図４は洗浄ノズル１０の先端部の斜視図である。
【００１９】
［洗浄装置］
図１に示すように、洗浄装置１００は、洗浄ノズル１０と、スチーム発生源となるスチーム発生装置１３０と、吸引力発生源となる吸引装置１５０とを備えている。
【００２０】
スチーム発生装置１３０は、密閉性を有するスチーム発生容器とその内部を加熱する加熱源とを備えるスチーム発生部１３１と、スチーム発生部１３１内のスチームの洗浄ノズル１０への供給を行う供給部１３２と、スチーム発生部１３１及び供給部１３２を制御する制御部１３３とを備えている。
【００２１】
スチーム発生部１３１は、スチーム発生容器の内部に供給された水を加熱してスチームを発生させる。スチーム発生容器には圧力制御弁が設けられており、容器内部の圧力を制御することが可能である。
また、スチーム発生容器には、温度センサと圧力センサとが設けられ、検出された内部温度及び内部圧力は制御部１３３に入力される。
【００２２】
制御部１３３は、温度センサの検出温度に基づいて加熱源の出力を制御して、スチーム発生容器内の温度を所定の目標温度に制御することができる。
また、制御部１３３は、圧力センサの検出圧力に基づいて圧力制御弁の調整圧力を制御して、スチーム発生容器内の圧力を所定の目標圧力に制御することができる。
【００２３】
供給部１３２は、スチーム発生容器内のスチームを排出する排出ポートに設けられた開閉可能な電磁弁を備えており、制御部１３３の制御に従って、排出ポートから外部へのスチームの供給と停止とを切り替えることができる。なお、この排出ポートにはスチーム供給用のホースの一端部が接続され、当該ホースの他端部は洗浄ノズル１０に接続されている。
【００２４】
制御部１３３は、洗浄ノズル１０に設けられた作動スイッチ４２１からの作動指令としてのスチーム発生信号の入力を受けて、供給部１３２の電磁弁を開放させてスチームを供給する動作制御を行う。
また、この制御部１３３には、供給するスチームの温度と圧力を設定する設定入力部を併設しても良い。
【００２５】
また、スチーム発生装置１３０は、底部にキャスター１３５を備える筐体１３４に上述した全ての構成を格納しており、装置全体の移動及び運搬を容易に行うことができる。
【００２６】
吸引装置１５０は、塵芥、ゴミ等に加えて水分や湿気を帯びた物も吸引可能ないわゆる乾湿両用掃除機である。
この吸引装置１５０は、全体構成を格納する底部にキャスター１５２を備えた筐体１５１と、筐体１５１の内部の底部に配置された吸引物を収容する回収タンク１５３と、回収タンク１５３に対して吸気を行い、回収タンク１５３の内部を減圧するブロア１５５と、回収タンク１５３とブロア１５５との間に設けられたフィルター１５４と、ブロア１５５の駆動源となるモーターの駆動を制御する制御部１５６とを備えている。
【００２７】
回収タンク１５３は、密閉容器であり、ホースを介して洗浄ノズル１０と接続される接続口が設けられている。この接続口は回収タンク１５３の上部に設けられており、洗浄ノズル１０から吸引された塵芥、ゴミ、水分等は全て接続口から回収タンク１５３内に落とし込まれるようになっている。
【００２８】
また、回収タンク１５３の上部には、ブロア１５５につながる排気口が設けられており、ここから回収タンク１５３内が減圧されて接続口側での吸引力が発生する。
また、回収タンク１５３の排気口には、前述したフィルター１５４が装備されており、ブロア１５５側への異物の侵入を防止している。
ブロア１５５は、主にモーターとファンから構成されており、回収タンク１５３内の空気を外部に排出する。
【００２９】
制御部１５６は、洗浄ノズル１０に設けられた作動スイッチ４２２からの作動指令としての吸引開始信号の入力を受けて、ブロア１５５を作動させる動作制御を行う。
【００３０】
［洗浄ノズル］
洗浄ノズル１０は、スチームを吐出するスチームノズル２０と、吸引を行う吸引ノズル３０と、作業時に持ち手となる取手部４０とを備えている。また、スチームノズル２０にはスチーム発生装置１３０との接続を行うスチーム用ホース５１が接続されており、吸引ノズル３０には吸引装置１５０との接続を行う吸引用ホース５２が接続されている。
【００３１】
吸引ノズル３０は、直線状の円筒管からなる本体管部３１と、本体管部３１の一端部に対して屈曲した方向に連接された円筒管からなる吸引管部３２とを備えている。
本体管部３１は、断面円形の金属管であり、その一端部には吸引管部３２が連接され、他端部には吸引用ホース５２が接続されている。なお、本体管部３１と吸引管部３２とは隙間無く連結されており、内部は互いに連通している。
【００３２】
吸引管部３２は、本体管部３１の一端部に対して、当該本体管部３１の長手方向に対して概ね直角となる方向を向いて連結されている。
吸引管部３２は、断面円形の金属管であり、本体管部３１と内径、外径共に同一寸法である。
この吸引管部３２における本体管部３１との連結端部とは逆側の端部は、外部に開放されている。吸引ノズル３０は、この吸引管部３２の外部に開放された端部で吸引を行う。以下、この吸引ノズル３０の吸引管部３２の外部に開放された端部を吸引開口部３２１という。
【００３３】
スチームノズル２０は、直線状の円筒管からなる本体管部２１と、本体管部２１の一端部に対して屈曲した方向に連接された円筒管からなる吐出管部２２とを備えている。
本体管部２１は、断面円形の金属管であり、その一端部には吐出管部２２が連接され、他端部にはスチーム用ホース５１が接続されている。なお、本体管部２１と吐出管部２２とは隙間無く連結されており、内部は互いに連通している。
【００３４】
吐出管部２２は、本体管部２１の一端部に対して、当該本体管部２１の長手方向に対して概ね直角となる方向を向いて連結されている。これら本体管部２１と吐出管部２２とは円弧状に湾曲した連結部２３を介して連結されている。
吐出管部２２は、断面円形の金属管であり、本体管部２１と内径、外径共に同一寸法である。また、スチームノズル２０の本体管部２１及び吐出管部２２の内径及び外径は、吸引ノズル３０の本体管部３１及び吸引管部３２の内径及び外径よりも十分に小さくなっている（例えば、１／３〜１／４程度）。
【００３５】
さらに、スチームノズル２０の本体管部２１は、吸引ノズル３０の本体管部３１の外側において当該本体管部３１に平行に並んだ状態で互いの外周に溶接された二つの連結部材５３により連結されている。
さらに、スチームノズル２０の本体管部２１は、その一端部が、吸引ノズル３０の吸引管部３２の管壁を貫通してその内側に入り込んでいる。そして、スチームノズル２０の連結部２３及び吐出管部２２は、吸引ノズル３０の吸引管部３２の内側に配置されている。
【００３６】
吸引ノズル３０の吸引管部３２とスチームノズル２０の本体管部２１とは、吸引ノズル３０の吸引管部３２の管壁の貫通箇所において、溶接されている。当該溶接により、スチームノズル２０の連結部２３及び吐出管部２２は、吸引ノズル３０の吸引管部３２内での位置及び向きが固定されている。
【００３７】
スチームノズル２０の吐出管部２２は、吸引ノズル３０の吸引管部３２の内側の中心において、互いに同心且つ平行に配設されている。
この吐出管部２２における本体管部２１との連結端部とは逆側の端部は、外部に開放されている。スチームノズル２０は、この吐出管部２２の外部に開放された端部からスチームの吐出を行う。以下、このスチームノズル２０の吐出管部２２の外部に開放された端部を吐出開口部２２１という。
【００３８】
スチームノズル２０の吐出管部２２の吐出開口部２２１は、スチームの吐出方向について、吸引ノズル３０の吸引管部３２の吸引開口部３２１と同一位置に並んでいる。
そして、この配置により、スチームノズル２０の吐出管部２２の吐出開口部２２１からスチームの吐出が行われ、その周囲全体から吸引ノズル３０の吸引管部３２の吸引開口部３２１による吸引が行われる。
【００３９】
また、図３の二点鎖線に示すように、吸引ノズル３０の吸引管部３２の吸引開口部３２１には、その内周又は外周全体に、毛先をスチームの吐出方向に延出させたブラシ５４が装備されている。当該ブラシ５４はその先端部がスチームノズル２０の吐出管部２２の先端部よりも前方に延出されている。
このように、ブラシ５４の先端部をスチームノズル２０の吐出管部２２の先端部よりも前方に延出させることにより、スチームノズル２０の吐出管部２２の先端部をブラシ５４で囲繞することができ、スチームノズル２０の吐出管部２２の周囲との接触による破損から保護することができる。
【００４０】
取手部４０は、スチームノズル２０を中心に貫通させた状態で支持する把持部４１と、当該把持部４１の一端部側に設けられ、スチーム発生装置１３０の作動指令と吸引装置１５０の作動指令とを入力可能な操作部４２とを備えている。
把持部４１は筒状であって、洗浄作業の際には作業者が手で握ることができる。
操作部４２は、把持部４１の一端部、即ち、把持部４１から延出されたスチームノズル２０の先端部側となる端部に、当該把持部４１に対して斜めに立ち上げられた傾斜面上に設けられている。
【００４１】
この操作部４２には、スチーム発生装置１３０を作動させるための入力部としての作動スイッチ４２１と、吸引装置１５０を作動させるための入力部としての作動スイッチ４２２とが設けられている。
スチーム発生装置１３０の作動スイッチ４２１は、操作中にのみオンとなり、非操作中はオフとなる常開形の押しボタンスイッチである。つまり、スチームを発生させる際には作動スイッチ４２１を押下したままとし、スチームを止める際には押下を止める。
また、吸引装置１５０の作動スイッチ４２２は、オンオフ切り替え式のスライドスイッチである。つまり、吸引を行う際には回路が閉じる方向にスイッチを移動させ、吸引を止める際には回路が開く方向にスイッチを移動させる。この作動スイッチ４２２は、一旦、状態を切り替えれば手を離してもその状態を維持することができる。
【００４２】
［洗浄作業］
上記構成の洗浄装置１００によって、天井に設置された空調の室内機を洗浄する作業を例として説明する。
洗浄装置１００のスチーム発生装置１３０は、スチームの圧力及び温度を適宜調整することにより、湿度の低いスチームを用いることができ、これにより、室内機の内部に結露の発生を抑えることができる。従って、周囲の水の飛散を防止するための養生は不要又は必要最小限とすることができる。
室内機は、まず、外装パネルを取り外し、分解可能な内部部品については取り外しを行う。そして、これら取り外した部品及び取り外しできない内部部品に対して洗浄作業を行う。
【００４３】
作業者は、洗浄ノズル１０の取手部４０の把持部４１を握り、ノズルの先端部を取り外した部品又は取り外しできない内部部品（洗浄対象物とする）に向けた状態で、作動スイッチ４２２を回路が閉じる方向に移動させて吸引を開始する。さらに、作動スイッチ４２１を押下して、スチームノズル２０の吐出管部２２の先端部からスチームの吹き付けを行う。
また、洗浄対象物の表面に対して洗浄ノズル１０の先端部のブラシ５４を当ててこすり、スチームにより洗浄対象物の表面から剥離した或いは剥離しやすくなった汚れ、付着物をこすり落とす。
スチームの吹き付けとブラシ５４の掻き落としによって洗浄対象物から剥離、分離した汚れ、付着物等は、吸引ノズル３０の吸引管部３２の先端部から吸引される。
そして、洗浄対象物の洗浄が終わると、作動スイッチ４２１の押下をやめてスチームの吹き付けを停止すると共に、作動スイッチ４２２を回路が閉じる方向に移動させて吸引を停止させる。
そして、取り外した部品を全て組み付けて、外装パネルを装着する。また、床養生を行った場合には、それを撤去する。
【００４４】
［発明の実施形態の技術的効果］
以上のように、洗浄装置１００は、その洗浄ノズル１０が、管状のスチームノズル２０と、管状の吸引ノズル３０とを備え、スチームノズル２０の吐出管部２２の吐出開口部２２１が吸引ノズル３０の吸引管部３２の吸引開口部３２１の内側に配置された二重管構造を有しているので、スチームノズル２０の吐出開口部２２１から吹き出すスチームを洗浄箇所に吹き付けたときにその周囲に拡散したスチームを速やかに吸引することができ、湯気の発生を効果的に低減することができる。このため、湯気による洗浄作業の中断を回避でき、迅速且つ効率的な洗浄作業を行うことが可能となる。
また、スチームノズル２０の吐出開口部２２１の周囲から吸引ノズル３０が吸引を行うので、スチームにより洗浄箇所から分離された汚れや塵芥を容易且つ速やかに吸引することができる。
特に、洗浄ノズル１０では、スチームノズル２０の吐出開口部２２１が吸引ノズル３０の吸引開口部３２１の中央に配置されているので、余分なスチームの回収及び分離された汚れや塵芥の吸引をより効果的に行うことが可能である。
【００４５】
また、スチームノズル２０と吸引ノズル３０とが連結されて一体化されているので、片手のみで汚れの分離及び回収を行うことができ、作業性を飛躍的に向上させることが可能となる。
【００４６】
また、スチームノズル２０の吐出開口部２２１が、スチームの吐出方向について、吸引ノズル３０の吸引開口部３２１と同位置に配置されている。スチームノズル２０の吐出管部２２は、吸引ノズル３０の吸引管部３２よりも小径であり、破損が生じ易いが、スチームノズル２０のみが周囲から突出した状態とならず、当該スチームノズル２０の先端部を外部との接触等による破損から保護することが可能となる。
【００４７】
また、洗浄ノズル１０の先端部にブラシ５４を装備したので、スチームの吹き付けとブラシの掻き落としによる相乗的な洗浄を行うことができ、さらに高い洗浄力を得ることが可能となる。
また、ブラシ５４の先端部は、スチームノズル２０の吐出開口部２２１よりも前方に延出されているので、スチームノズル２０の先端部をブラシ５４が囲繞し、スチームノズルの先端部をさらに破損から保護することが可能となる。
【００４８】
また、洗浄ノズル１０は、取手部４０の把持部４１に隣接して作動スイッチ４２１，４２２が設けられた操作部４２を配置したので、洗浄ノズル１０を片手で持ったまま、スチーム発生と吸引の開始、停止の操作を行うことができ、操作性の向上させることができる。
そして、スチームの発生の作動スイッチ４２１と吸引の作動スイッチ４２２とを個別に設けたので、必要に応じて、スチームの発生のみ又は吸引のみを行うことが可能となる。
また、スチームの作動スイッチ４２１を常開形のスイッチとしているが、スチームの吹き付けは、既に剥離した汚れの吸引のみを行いたい場合等、必要なときのみ吹き付けを行い、それ以外の場合には止めておく等の使い方があるので、常開形のスイッチを使用することで、押下を止めるだけで即座に停止することができ、操作性の向上を図ることが可能となる。
【００４９】
［その他］
スチームノズル２０の吐出管部２２の先端部は、図５に示すように、絞り構造を設けても良い。この絞り構造は、例えば平坦形状に加工する等、吐出管部２２における先端の吐出開口部２２１以外の断面積よりも先端の吐出開口部２２１の断面積を縮小することで形成可能である。また、このような絞り構造を有する管状のアタッチメントを吐出管部２２の先端部に装着しても良い。
これにより、スチームをより高速で指向性をもって吹き付けることが可能となる。
【００５０】
また、スチームの吐出方向について、スチームノズル２０の吐出管部２２の先端部を、吸引ノズル３０の吸引管部３２の先端部と同位置とする場合を例示したが、これに限らない。
例えば、スチームノズル２０の吐出管部２２の先端部は吸引ノズル３０の吸引管部３２の先端部よりも後方となるように形成しても良い。これにより、スチームノズル２０の吐出管部２２の先端部を吸引管部３２の先端部によって、より効果的に保護することが可能となる。
なお、絞り構造を有する管状のアタッチメントを吐出管部２２の先端部に装着した場合も、その先端部は、吸引ノズル３０の吸引管部３２の先端部と同位置又は吸引管部３２の先端部よりも後方となるようにしても良い。
【００５１】
また、スチームノズル２０の吐出管部２２の先端部を吸引ノズル３０の吸引管部３２の先端部よりも前方となるように配置しても良い。
この場合、スチームの吹き付けが周囲の吸引の影響を受けにくくなり、安定した吹き付けを行うことが可能となる。
なお、このように配置した場合でもあっても、スチームノズル２０の吐出管部２２の先端部よりもブラシ５４の先端部を前方となる様に配置することが望ましい。これにより、吹き付け後のスチームの拡散を抑え、視界を遮ることを効果的に抑制できる。また、ブラシ５４によりスチームノズル２０の吐出管部２２の先端部を保護することができる。
なお、絞り構造を有する管状のアタッチメントを吐出管部２２の先端部に装着した場合も、その先端部は、吸引ノズル３０の吸引管部３２の先端部よりも前方であって、ブラシ５４の先端部よりも後方となるようにしても良い。
【００５２】
また、スチームのみで汚れを容易に剥離させることができる場合には、ブラシ５４は無くとも良い。
【００５３】
また、洗浄ノズル１０において、取手部４０は吸引ノズル３０側に設けても良い。或いは、取手部４０は、吸引ノズル３０及びスチームノズル２０の双方を貫通させるように設けてもよい。
【００５４】
また、取手部４０の操作部４２に設けられた作動スイッチ４２１，４２２は、スチーム発生装置１３０と吸引装置１５０とを同時に作動させるための共通の一つの作動スイッチのみを設ける構成としても良い。この場合、スチームの吹き付けと吸引とが常に連動することになるが、作動スイッチの操作の単純化を図ることができる。また、操作部４２の部品点数の低減を図ることができる。
【００５５】
また、上記実施形態では、洗浄対象物として空調室内機を例示したが、洗浄装置１００及び洗浄ノズル１０は、スチーム洗浄を行うことが可能な物全てを洗浄対象物とすることができる。
【符号の説明】
【００５６】
１０  洗浄ノズル
２０  スチームノズル
２２  吐出管部
３０  吸引ノズル
３２  吸引管部
４０  取手部
４２  操作部
５４  ブラシ
１００  洗浄装置
１３０  スチーム発生装置（スチーム発生源）
１５０  吸引装置（吸引力発生源）
２２１  吐出開口部
３２１  吸引開口部
４２１，４２２  作動スイッチ
【図１】
2017012961.tif 000003
【図２】
2017012961.tif 000004
【図３】
2017012961.tif 000005
【図４】
2017012961.tif 000006
【図５】
2017012961.tif 000007